(57)【要約】【課題】潜在的な余剰資源となっている医療資源の活用を可能にする。【解決手段】医療資源ＤＢ１５には、医療資源組合せ情報、稼働可否情報が格納されている。医療資源組合せ情報は、各医療施設のそれぞれについて、各医療施設が保有する医療機器と、各医療機器を使用する医療スタッフとの組合せを示す情報である。稼働可否情報は、各医療資源（医療機器と医療スタッフ）が稼働可能か否かを示す情報である。医療資源紹介サーバは、稼働可否情報に基づいて稼働不能な医療資源を検出し、医療資源組合せ情報において、稼働不能な医療資源に対応付けされた相手方の医療資源を抽出する。そして、この相手方の医療資源に対応付けされた医療資源を余剰資源と判定して、他の医療施設へ紹介する。【選択図】図５
2016062478.tif 000002
【特許請求の範囲】
【請求項１】
複数の医療施設がそれぞれ保有する医療機器及び医療スタッフの少なくとも１つを含む医療資源を、前記複数の医療施設間で相互に融通するために、前記複数の医療施設に対して前記医療資源の紹介を行う医療資源紹介装置において、
各医療施設において協働して稼働する少なくとも１組の前記医療資源の組合せを記録した医療資源組合せ情報と、各医療施設が保有する医療資源のそれぞれが稼働可能か稼働不能かを表す稼働可否情報とが格納された医療資源データベースにアクセスするデータベースアクセス部と、
前記稼働可否情報に基づいて、前記組合せに含まれる前記医療資源のうち、稼働不能な医療資源を検出する稼働不能医療資源検出部と、
前記稼働不能医療資源検出部によって稼働不能な医療資源が検出された場合に、前記医療資源組合せ情報に基づいて、前記稼働不能な医療資源の発生により、稼働を待機する稼働待機状態となる前記医療資源の有無を調べて、前記稼働待機状態となる前記医療資源が有る場合に当該医療資源を余剰資源と判定する余剰資源判定部と、
前記余剰資源を前記複数の医療施設のいずれかに紹介する紹介部と、を備えていることを特徴とする医療資源紹介装置。
【請求項２】
前記医療資源組合せ情報は、２つ１組の前記医療資源の組合せである第１の組合せを含み、
前記余剰資源判定部は、前記第１の組合せを構成する医療資源の一方が前記稼働不能な医療資源と検出された場合に、前記第１の組合せにおいて前記稼働不能な医療資源の相手方となる他方の医療資源を、前記余剰資源と判定することを特徴とする請求項１記載の医療資源紹介装置。
【請求項３】
前記医療資源組合せ情報は、前記医療資源のうち、少なくとも１つの第１医療資源と、前記第１医療資源と協働して稼働する第２医療資源が複数有る第２の組合せを含み、
前記余剰資源判定部は、前記第２の組合せにおいて、前記第２医療資源が前記稼働不能な医療資源として検出された場合に、稼働可能な前記第２医療資源が１つも存在しない場合に、前記第１医療資源を前記余剰資源と判定することを特徴とする請求項１又は２に記載の医療資源紹介装置。
【請求項４】
前記医療資源の組合せには、前記医療資源の１つが前記医療スタッフであり、前記医療スタッフの相手方が前記医療機器となる組合せを含むことを特徴とする請求項１〜３いずれか１項に記載の医療資源紹介装置。
【請求項５】
前記紹介部は、１つの医療施設に前記余剰資源が発生した場合に、前記医療資源データベースから、前記余剰資源と協働して稼働可能な医療資源が存在する医療施設を検索し、検索した医療施設に前記余剰資源を紹介することを特徴とする請求項１〜４いずれか１項に記載の医療資源紹介装置。
【請求項６】
前記紹介部による前記余剰資源の紹介を実行する前に、前記余剰資源が所属する、紹介元の医療施設へ問い合わせを行って、前記紹介元の医療施設から紹介の承認を得る承認部を備えていることを特徴とする請求項１〜５いずれか１項に記載の医療資源紹介装置。
【請求項７】
前記医療資源から定期的に送信される情報に基づいて、前記稼働可否情報を更新する稼働可否情報更新部を備えていることを特徴とする請求項１〜６いずれか１項に記載の医療資源紹介装置。
【請求項８】
複数の医療施設がそれぞれ保有する医療機器及び医療スタッフの少なくとも１つを含む医療資源を、前記複数の医療施設間で相互に融通するために、前記複数の医療施設に対して前記医療資源の紹介を行う医療資源紹介システムにおいて、
前記複数の医療施設のそれぞれに設置されるクライアント端末と、
前記クライアント端末に対して前記医療資源の紹介を行う医療資源紹介装置と、から構成され、
前記医療資源紹介装置は、
協働して稼働する少なくとも１組の前記医療資源の組合せを記録した医療資源組合せ情報と、前記医療資源のそれぞれが稼働可能か稼働不能かを表す稼働可否情報とが各医療資源を保有する医療施設を識別可能に格納された医療資源データベースにアクセスするデータベースアクセス部と、
前記稼働可否情報に基づいて、前記組合せに含まれる前記医療資源のうち、稼働不能な医療資源を検出する稼働不能医療資源検出部と、
前記稼働不能医療資源検出部によって稼働不能な医療資源が検出された場合に、前記医療資源組合せ情報に基づいて、前記稼働不能な医療資源の発生により、稼働を待機する稼働待機状態となる前記医療資源の有無を調べて、前記稼働待機状態となる前記医療資源が有る場合に当該医療資源を余剰資源と判定する余剰資源判定部と、
前記余剰資源を前記クライアント端末のいずれかに紹介する紹介部と、を備えていることを特徴とする医療資源紹介システム。
【請求項９】
複数の医療施設がそれぞれ保有する医療機器及び医療スタッフの少なくとも１つを含む医療資源を、前記複数の医療施設間で相互に融通するために、前記複数の医療施設に対して前記医療資源の紹介を行う医療資源紹介装置としてコンピュータを機能させるための医療資源紹介プログラムにおいて、
協働して稼働する少なくとも１組の前記医療資源の組合せを記録した医療資源組合せ情報と、前記医療資源のそれぞれが稼働可能か稼働不能かを表す稼働可否情報とが各医療資源を保有する医療施設を識別可能に格納された医療資源データベースにアクセスするデータベースアクセスステップと、
前記稼働可否情報に基づいて、前記組合せに含まれる前記医療資源のうち、稼働不能な医療資源を検出する稼働不能医療資源検出ステップと、
前記稼働不能医療資源検出部によって稼働不能な医療資源が検出された場合に、前記医療資源組合せ情報に基づいて、前記稼働不能な医療資源の発生により、稼働を待機する稼働待機状態となる前記医療資源の有無を調べて、前記稼働待機状態となる前記医療資源が有る場合に当該医療資源を余剰資源と判定する余剰資源判定ステップと、
前記余剰資源を前記複数の医療施設のいずれかに紹介する紹介ステップと、を前記コンピュータに実行させることを特徴とする医療資源紹介プログラム。
【請求項１０】
複数の医療施設がそれぞれ保有する医療機器及び医療スタッフの少なくとも１つを含む医療資源を、前記複数の医療施設間で相互に融通するために、前記複数の医療施設に対して前記医療資源の紹介を行う医療資源紹介装置の作動方法において、
協働して稼働する少なくとも１組の前記医療資源の組合せを記録した医療資源組合せ情報と、前記医療資源のそれぞれが稼働可能か稼働不能かを表す稼働可否情報とが各医療資源を保有する医療施設を識別可能に格納された医療資源データベースにアクセスするデータベースアクセスステップと、
前記稼働可否情報に基づいて、前記組合せに含まれる前記医療資源のうち、稼働不能な医療資源を検出する稼働不能医療資源検出ステップと、
前記稼働不能医療資源検出部によって稼働不能な医療資源が検出された場合に、前記医療資源組合せ情報に基づいて、前記稼働不能な医療資源の発生により、稼働を待機する稼働待機状態となる前記医療資源の有無を調べて、前記稼働待機状態となる前記医療資源が有る場合に当該医療資源を余剰資源と判定する余剰資源判定ステップと、
前記余剰資源を前記複数の医療施設のいずれかに紹介する紹介ステップと、前記医療資源照会装置に実行させることを特徴とする医療資源紹介装置の作動方法。
【発明の詳細な説明】
【技術分野】
【０００１】
本発明は、医療機器と医療スタッフとを含む医療資源を、複数の医療施設に紹介する医療資源紹介装置、システム、プログラム及び医療資源紹介装置の作動方法に関する。
【背景技術】
【０００２】
医療分野において、各種の医療用コンピュータシステムが提案されている。医療用コンピュータシステムの１つとして、特許文献１には、予め登録された医師を医療施設に紹介する医師紹介システムが提案されている。
【０００３】
特許文献１の医師紹介システムは、派遣可能な医師の情報が登録された医師紹介用データベースを有しており、医師の派遣を要望する派遣先の医療施設からの紹介要求に基づいて、医師紹介用データベースから条件に合致する医師を検索して、検索した医師の紹介を行う。医師紹介用データベースには、労働力を供給する供給側のユーザーとなる医師の希望条件が登録され、医師紹介システムは、医師を要望する需要側のユーザーとなる医療施設からの紹介要求をトリガーとして、紹介サービスの提供を開始する。
【０００４】
特許文献１のような医師紹介システムは、供給主体や需要主体となるユーザーの要望に基づいて紹介サービスが開始される、紹介システムとしては一般的な構成をもっている。こうした医師紹介システムによれば、医療施設にとっては不足する医師を補充することができる一方、医師にとっても希望にかなった職場を探すことができる。
【先行技術文献】
【特許文献】
【０００５】
【特許文献１】特表２００８−５０９５００号公報
【発明の概要】
【発明が解決しようとする課題】
【０００６】
特許文献１の医師紹介システムが前提としているように、医師不足に悩む医療施設がある一方、働ける医療施設を探す医師が存在しており、社会全体として見れば、医師の需要と供給に不均衡が存在するのが現実である。こうした状況は、医師だけでなく、看護師や診療放射線技師などを含めた医療スタッフ全体にも当てはまる。さらに言えば、医療スタッフに限った話ではなく、例えば、ある医療施設では医療機器に余剰が発生している一方、別の医療施設では同種の医療機器に不足が生じているということも考え合わせれば、医療機器も含めた医療資源全体にも当てはまる状況である。
【０００７】
特許文献１の医師紹介システムは、こうした医療資源の需要と供給の不均衡を是正する１つの方策である。しかしながら、特許文献１の医師紹介システムのような従来の紹介システムでは、例えば、ある地域全体に広く影響を及ぼす大規模災害などが発生した場合には、有効に機能しにくいという問題があった。
【０００８】
つまり、被災地域においては、被災地域外からの医療資源の供給などの支援が必要なのはもちろんであるが、被災地域内においても、医療施設によって被害状況が異なるため、被災地域内の複数の医療施設間で医療資源を融通できる可能性がある。
【０００９】
例えば、ある医療施設では、医療スタッフが被害を受けて稼働不能になったが、この医療スタッフが使用する医療機器は稼働可能である状態、すなわち、医療スタッフ（例えば、診療放射線技師）が稼働不能なために、医療機器（例えば、Ｘ線撮影装置）の余剰が発生した状態となる場合がある。また、別の医療施設では、反対に、医療機器が稼働不能なために、医療スタッフの余剰が発生した状態となる場合がある。このように、医療スタッフと医療機器の両方があってはじめて稼働が可能となる医療資源の組合せがある場合には、一方が稼働不能に陥ると他方は待機状態になり、余剰資源となる。
【００１０】
平時であれば、医療資源に余剰や不足が発生した医療施設は、特許文献１の医師紹介システムに条件を含む要望を上げて、紹介を待つという対応も考えられる。しかし、被災地域においては、被災した医療施設が、余剰資源を抱えたまま運営を休止してしまう場合も多く、その場合には、医療資源の供給や需要に関する医療施設からの要望が上がらない状態になる。そのため、結果として、要望によって顕在化することの無い潜在的な余剰資源が発生し、活用されないまま埋もれてしまう状況になる。
【００１１】
このような被災地域において、潜在的な余剰資源を保有する複数の医療施設間で医療資源を融通しあうことができれば、余剰資源の有効活用が可能になり、被災地域における医療活動の復旧を加速することができる。
【００１２】
しかしながら、上述のとおり、特許文献１の医師紹介システムは、供給側や需要側のユーザーの要望に基づいてサービスが開始される一般的な構成をもつ従来型の紹介システムであるため、被災地域のように、供給側及び需要側のどちらのユーザーからも要望が上がってこない、あるいは上がりにくい状況では、有効に機能せず、潜在的な余剰資源を活用しにくいという問題があった。
【００１３】
本発明は、医療資源の供給主体や需要主体となるユーザーからの要望が上がらない状況においても有効に機能して、潜在的な余剰資源となっている医療資源の活用を可能にする医療資源紹介装置、システム、プログラム及び方法を提供することを目的とする。
【課題を解決するための手段】
【００１４】
上記目的を達成するために、本発明の医療資源紹介装置は、複数の医療施設がそれぞれ保有する医療機器及び医療スタッフの少なくとも１つを含む医療資源を、複数の医療施設間で相互に融通するために、複数の医療施設に対して医療資源の紹介を行う医療資源紹介装置において、各医療施設において協働して稼働する少なくとも１組の前記医療資源の組合せを記録した医療資源組合せ情報と、各医療施設が保有する医療資源のそれぞれが稼働可能か稼働不能かを表す稼働可否情報とが格納された医療資源データベースにアクセスするデータベースアクセス部と、稼働可否情報に基づいて、組合せに含まれる医療資源のうち、稼働不能な医療資源を検出する稼働不能医療資源検出部と、稼働不能医療資源検出部によって稼働不能な医療資源が検出された場合に、医療資源組合せ情報に基づいて、稼働不能な医療資源の発生により、稼働を待機する稼働待機状態となる医療資源の有無を調べて、稼働待機状態となる医療資源が有る場合に当該医療資源を余剰資源と判定する余剰資源判定部と、余剰資源を複数の医療施設のいずれかに紹介する紹介部と、を備えていることを特徴としている。
【００１５】
医療資源組合せ情報は、２つ１組の医療資源の組合せである第１の組合せを含み、余剰資源判定部は、第１の組合せを構成する医療資源の一方が稼働不能な医療資源と検出された場合に、第１の組合せにおいて稼働不能な医療資源の相手方となる他方の医療資源を、余剰資源と判定するものでもよい。
【００１６】
医療資源組合せ情報は、医療資源のうち、少なくとも１つの第１医療資源と、第１医療資源と協働して稼働する第２医療資源が複数有る第２の組合せを含み、余剰資源判定部は、第２の組合せにおいて、第２医療資源が稼働不能な医療資源として検出された場合に、稼働可能な第２医療資源が１つも存在しない場合に、第１医療資源を余剰資源と判定するものでもよい。
【００１７】
医療資源の組合せには、医療資源の１つが医療スタッフであり、医療スタッフの相手方が医療機器となる組合せを含むものでもよい。
【００１８】
紹介部は、１つの医療施設に余剰資源が発生した場合に、医療資源データベースから、余剰資源と協働して稼働可能な医療資源が存在する医療施設を検索し、検索した医療施設に余剰資源を紹介するものでもよい。
【００１９】
紹介部による余剰資源の紹介を実行する前に、余剰資源が所属する、紹介元の医療施設へ問い合わせを行って、紹介元の医療施設から紹介の承認を得る承認部を設けてもよい。
【００２０】
医療資源から定期的に送信される情報に基づいて、稼働可否情報を更新する稼働可否情報更新部を設けてもよい。
【００２１】
また、上記目的を達成するために、本発明の医療資源紹介システムは、複数の医療施設がそれぞれ保有する医療機器及び医療スタッフの少なくとも１つを含む医療資源を、複数の医療施設間で相互に融通するために、複数の医療施設に対して医療資源の紹介を行う医療資源紹介システムにおいて、複数の医療施設のそれぞれに設置されるクライアント端末と、クライアント端末に対して医療資源の紹介を行う医療資源紹介装置と、から構成され、医療資源紹介装置は、協働して稼働する少なくとも１組の医療資源の組合せを記録した医療資源組合せ情報と、医療資源のそれぞれが稼働可能か稼働不能かを表す稼働可否情報とが各医療資源を保有する医療施設を識別可能に格納された医療資源データベースにアクセスするデータベースアクセス部と、稼働可否情報に基づいて、組合せに含まれる医療資源のうち、稼働不能な医療資源を検出する稼働不能医療資源検出部と、稼働不能医療資源検出部によって稼働不能な医療資源が検出された場合に、医療資源組合せ情報に基づいて、稼働不能な医療資源の発生により、稼働を待機する稼働待機状態となる医療資源の有無を調べて、稼働待機状態となる医療資源が有る場合に当該医療資源を余剰資源と判定する余剰資源判定部と、余剰資源をクライアント端末のいずれかに紹介する紹介部と、を備えていることを特徴としている。
【００２２】
また、上記目的を達成するために、本発明の医療資源紹介プログラムは、複数の医療施設がそれぞれ保有する医療機器及び医療スタッフの少なくとも１つを含む医療資源を、複数の医療施設間で相互に融通するために、複数の医療施設に対して医療資源の紹介を行う医療資源紹介装置としてコンピュータを機能させるための医療資源紹介プログラムにおいて、協働して稼働する少なくとも１組の医療資源の組合せを記録した医療資源組合せ情報と、医療資源のそれぞれが稼働可能か稼働不能かを表す稼働可否情報とが各医療資源を保有する医療施設を識別可能に格納された医療資源データベースにアクセスするデータベースアクセスステップと、稼働可否情報に基づいて、組合せに含まれる医療資源のうち、稼働不能な医療資源を検出する稼働不能医療資源検出ステップと、稼働不能医療資源検出部によって稼働不能な医療資源が検出された場合に、医療資源組合せ情報に基づいて、稼働不能な医療資源の発生により、稼働を待機する稼働待機状態となる医療資源の有無を調べて、稼働待機状態となる医療資源が有る場合に当該医療資源を余剰資源と判定する余剰資源判定ステップと、余剰資源を複数の医療施設のいずれかに紹介する紹介ステップと、をコンピュータに実行させることを特徴としている。
【００２３】
また、上記目的を達成するために、本発明の医療資源照会装置の作動方法は、複数の医療施設がそれぞれ保有する医療機器及び医療スタッフの少なくとも１つを含む医療資源を、複数の医療施設間で相互に融通するために、複数の医療施設に対して医療資源の紹介を行う医療資源紹介装置の作動方法において、協働して稼働する少なくとも１組の医療資源の組合せを記録した医療資源組合せ情報と、医療資源のそれぞれが稼働可能か稼働不能かを表す稼働可否情報とが各医療資源を保有する医療施設を識別可能に格納された医療資源データベースにアクセスするデータベースアクセスステップと、稼働可否情報に基づいて、組合せに含まれる医療資源のうち、稼働不能な医療資源を検出する稼働不能医療資源検出ステップと、稼働不能医療資源検出部によって稼働不能な医療資源が検出された場合に、医療資源組合せ情報に基づいて、稼働不能な医療資源の発生により、稼働を待機する稼働待機状態となる医療資源の有無を調べて、稼働待機状態となる医療資源が有る場合に当該医療資源を余剰資源と判定する余剰資源判定ステップと、余剰資源を複数の医療施設のいずれかに紹介する紹介ステップと、医療資源照会装置に実行させることを特徴としている。
【発明の効果】
【００２４】
本発明は、医療資源が稼働不能となると、この医療資源と協働して稼働する相手方の医療資源が稼働を待機する待機状態となるかを調べ、待機状態となる場合は、この相手方の医療資源を余剰資源と判定して紹介するので、医療資源の供給主体や需要主体となるユーザーからの要望が上がらない状況においても有効に機能して、潜在的な余剰資源となっている医療資源の活用が可能となる。
【図面の簡単な説明】
【００２５】
【図１】医療資源紹介システムの構成を示す説明図である。
【図２】医療資源組合せ情報の例を示す説明図である。
【図３】稼働可否情報の例を示す説明図である。
【図４】医療資源紹介サーバ等に用いられるコンピュータの電気的な構成を示すブロック図である。
【図５】医療資源紹介サーバの機能概略を示す説明図である。
【図６】医療資源組合せ情報を入力するための入力画面の例を示す説明図である。
【図７】稼働可否情報を入力するための入力画面の例を示す説明図である。
【図８】余剰資源の判定手順を示すフローチャートである。
【図９】余剰資源を紹介する紹介画面の例を示す説明図である。
【図１０】医療資源組合せ情報の例を示す説明図である。
【図１１】余剰資源の判定手順を示すフローチャートである。
【図１２】医療資源組合せ情報の例を示す説明図である。
【図１３】医療資源紹介サーバの機能概略を示す説明図である。
【図１４】医療資源紹介サーバの機能概略を示す説明図である。
【図１５】稼働可否情報を自動的に更新する構成の例を示す説明図である。
【発明を実施するための形態】
【００２６】
［第１実施形態］
図１に示す医療資源紹介システム１０は、医療機器と医療スタッフとを含む医療資源を、複数の医療施設間で相互に融通するために用いられるコンピュータシステムである。この医療資源紹介システム１０は、医療資源紹介サーバ１１と、クライアント端末１２と、これらを相互に通信可能に接続するネットワーク１４とで構成されている。ネットワーク１４は、例えば、インターネットである。
【００２７】
クライアント端末１２は、各医療施設（図１の例では、第１病院、第２病院、第３病院）に設置され、例えば、各医療施設の医療資源を管理する管理者によって操作される。クライアント端末１２は、医療資源紹介サーバ１１にアクセスして各種要求を送信する機能、医療資源紹介サーバ１１から送られる医療資源の紹介通知などの各種情報を受信する機能、受信した紹介通知や要求を送信する際に用いられる操作画面などを表示する機能を有している。
【００２８】
医療資源紹介サーバ１１は、医療資源組合せ情報、及び、稼働可否情報が格納された医療資源データベース（以下、医療資源ＤＢ）１５を備えている。医療資源紹介サーバ１１は、医療資源ＤＢ１５に格納された、医療資源組合せ情報、及び、稼働可否情報に基づいて、各医療施設の余剰した医療資源（余剰資源）を判定し、判定された余剰資源を別の医療施設へ紹介する、本発明の医療資源紹介装置である。
【００２９】
図２に示すように、医療資源組合せ情報は、協働して稼働する医療資源の組合せ（対応関係）を示すデータであり、図２の例では、協働して稼働する医療資源の組合せを医療施設毎に区別して登録することにより、各医療施設が保有する医療資源が識別可能とされている。また、図２の例では、医療機器と、各医療機器を使用可能または実際に使用している医療スタッフとの組合せが医療資源組合せ情報として登録された例を示している。さらに、図２の例では、１つの医療機器に対して１人医療スタッフが対応付けされた第１の組合せ（２つ１組の医療資源の組合せ）が医療資源組合せ情報として登録された例を示している。
【００３０】
図２において、各医療機器（横軸）と各医療スタッフ（横軸）との交点に付された指標が「ＯＫ」である場合は、医療スタッフが医療機器を使用可能または実際に使用していることを示しており、「ＮＧ」である場合は、医療スタッフが医療機器を使用不能であることを示している。
【００３１】
具体的には、第１病院には、医療機器Ａ１、Ｂ１、Ｃ１の３つの医療機器が存在し、医療機器Ａ１は医療スタッフＮＯ１により使用され、医療機器Ｂ１は医療スタッフＮＯ２によって使用され、医療機器Ｃ１は医療スタッフＮＯ３によって使用されることを示している。また、第２病院には、医療機器Ａ２、Ｂ２の２つの医療機器が存在し、医療機器Ａ２は医療スタッフＮＯ４によって使用され、医療機器Ｂ２は医療スタッフＮＯ５によって使用されることを示している。さらに、第３病院には、医療機器Ｂ３、Ｃ２の２つの医療機器が存在し、医療機器Ｂ３は医療スタッフＮＯ６によって使用され、医療機器Ｃ２は医療スタッフＮＯ７によって使用されることを示している。
【００３２】
なお、医療機器Ａ１、Ａ２は、同種の医療機器Ａであるが、各医療機器を保有する医療施設などを識別するために、異なる符号を付している。同様に、医療機器Ｂ１〜Ｂ３も同種の医療機器Ｂであり、医療機器Ｃ１、Ｃ２も同種の医療機器Ｃである。
【００３３】
図３に示すように、稼働可否情報は、各医療資源が稼働可能であるか否かを示すものである。前述のように、第１実施形態では、医療資源として、医療機器ＡがＡ１、Ａ２の２つ、医療機器ＢがＢ１〜Ｂ３の３つ、医療機器ＣがＣ１、Ｃ２の２つ、医療スタッフがＮＯ１〜ＮＯ７の７人、の合計１４の医療資源が存在する。よって、第１実施形態では、これら１４の医療資源のそれぞれが稼働可能か稼働不能かを示すデータが稼働可否情報として医療資源ＤＢ１５に格納されている。図３において、指標「可」は、医療資源が稼働可能であることを示し、「不可」は、対応する医療資源が稼働不能であることを示している。なお、図３では、稼働可否情報が全ての医療資源の一覧となっている形式で登録されているが、医療資源組合せ情報と同様に、医療施設毎に区別して登録する形式としてもよい。
【００３４】
医療資源紹介サーバ１１、及びクライアント端末１２は、パーソナルコンピュータ、サーバコンピュータ、ワークステーションといったコンピュータをベースに、オペレーティングシステム等の制御プログラムや、クライアントプログラム又はサーバプログラム等のアプリケーションプログラムをインストールして構成される。
【００３５】
図４に示すように、医療資源紹介サーバ１１やクライアント端末１２を構成するコンピュータは、基本的な構成は同じであり、それぞれ、ＣＰＵ（Central Processing Unit）２１、メモリ２２、ストレージデバイス２３、通信Ｉ／Ｆ（InterFace）２４、及び入出力部２６を備えている。これらはデータバス２７を介して接続されている。入出力部２６は、ディスプレイ２８と、キーボードやマウスなどの入力デバイス２９とからなる。
【００３６】
ストレージデバイス２３は、例えば、ＨＤＤ（Hard Disk Drive）であり、制御プログラムやアプリケーションプログラム（以下、ＡＰという）３０が格納される。また、ストレージデバイス２３には、各クライアント端末１２の設置先の医療施設を示す設置先一覧データ（図示せず）が格納されており、この端末設置先一覧データに基づいて、各クライアント端末１２の設置先の医療施設が識別可能となっている。
【００３７】
さらに、ＤＢが構築される医療資源紹介サーバ１１には、プログラムを格納するＨＤＤとは別に、ＤＢ用のストレージデバイス２３として、例えば、ＨＤＤを複数台連装したディスクアレイが設けられる。なお、ディスクアレイは、サーバ本体に内蔵されるものでもよいし、サーバ本体とは別に設けられ、サーバ本体にＬＡＮ（Local Area Network）などのネットワークを通じて接続されるものでもよい。
【００３８】
メモリ２２は、ＣＰＵ２１が処理を実行するためのワークメモリであり、ＲＡＭ（Random Access Memory）で構成される。ＣＰＵ２１は、ストレージデバイス２３に格納された制御プログラムをメモリ２２へロードして、プログラムに従った処理を実行することにより、コンピュータの各部を統括的に制御する。通信Ｉ／Ｆ２４は、ネットワーク１４との間の伝送制御を行うネットワークインタフェースである。
【００３９】
クライアント端末１２には、ＡＰ３０として、クライアントプログラムがインストールされている。クライアントプログラムは、医療資源紹介サーバ１１にアクセスして医療資源ＤＢ１５に格納された情報の更新要求などの各種要求を送信する機能、医療資源紹介サーバ１１からクライアント端末１２に送られる医療資源の紹介通知などの各種情報を受信する機能、受信した紹介通知や更新要求を送信する際に用いられる操作画面などを表示する機能をクライアント端末１２に実行させるためのプログラムである。
【００４０】
なお、クライアントプログラムは、医療資源紹介システム１０専用にプログラミングされたものであってもよいし、周知のウェブブラウザであってもよい。クライアントプログラムがウェブブラウザである場合、例えば、医療資源紹介システム１０の運営者がインターネット上に公開しているウェブサイトへ、クライアント端末１２からアクセスし、アクセスしたウェブサイトを通じて更新要求の送信などの機能が実行される。
【００４１】
他方、医療資源紹介サーバ１１には、ＡＰ３０として、サーバプログラムがインストールされている。サーバプログラムは、医療資源ＤＢ１５へアクセスする機能、クライアント端末１２から送られた更新要求に基づいて医療資源ＤＢ１５に格納された情報を更新する機能、各医療施設の稼働不能な医療資源を検出する機能、検出した稼働不能な医療資源に基づいて各医療施設の余剰資源を判定する機能、判定された余剰資源を紹介する紹介通知をクライアント端末１２に送信する機能を医療資源紹介サーバ１１に実行させるためのプログラムである。サーバプログラムは、例えば、医療資源紹介サーバ１１のスタートアップメニューに登録され、医療資源紹介サーバ１１の起動に伴って起動される。
【００４２】
図５に示すように、サーバプログラムが起動されると、医療資源紹介サーバ１１のＣＰＵ２１は、メモリ２２などと協働して、データベースアクセス部３１、ＧＵＩ（Graphical User Interface）制御部３２、データベース更新部３３、稼働不能医療資源検出部３４、余剰資源判定部３５、紹介部３６として機能する。データベースアクセス部３１は、医療資源紹介サーバ１１の各部と、医療資源ＤＢ１５との間で行われる各種情報の送受信を中継する。
【００４３】
ＧＵＩ制御部３２は、クライアント端末１２や医療資源紹介サーバ１１自身、及び、ネットワーク１４を介して医療資源紹介サーバに対してアクセスした各種の端末に対して、ＧＵＩによる操作機能を提供するために設けられている。ＧＵＩ制御部３２は、各種操作を行うための操作画面を、操作機能の提供先の端末のディスプレイに表示させる。操作画面には、利用する機能を選択するためのメニュー画面や、医療資源組合せ情報や稼働可否情報を入力するための入力画面が含まれる。
【００４４】
図６に示すように、医療資源組合せ情報を入力するための入力顔面３７では、入力デバイス２９を操作して、入力欄３７ａに医療施設を直接入力したりドロップダウンボタン３７ｂをクリック操作することによって表示されるドロップダウンリストの中から医療施設を選択できる。医療施設を選択すると、既に医療資源組合せ情報が登録されている医療施設については、既存の医療資源組合せ情報が表示され、表示された医療資源組合せ情報に従って変更する情報を入力できる。また、医療資源組合せ情報が登録されていない医療施設については、新規に医療資源組合せ情報を入力するためのテンプレートが表示され、表示されたテンプレートに従って新たな医療資源組合せ情報を入力できる。
【００４５】
また、図７に示すように、稼働可否情報を入力するための入力画面３８では、入力デバイス２９を操作して、稼働不動となった医療資源を入力欄３８ａに直接入力したり、ドロップダウンボタン３８ｂをクリックすることによって表示されるドロップダウンリストの中から稼働不能となった医療資源を選択する。医療資源を選択すると、選択された医療資源の稼働状況と「可（稼働可能）」とするか、「不可（稼働不可能）」とするかの選択欄（図示せず）が表示され、いずれかをクリックすることにより、稼働可否情報を入力できる。
【００４６】
上述のように、入力画面に従って入力操作が行われて、医療資源組合せ情報や稼働可否情報の新規入力や変更に関する情報が入力されると、入力された情報が更新要求としてデータベース更新部３３に入力される。データベース更新部３３は、更新要求を受け付け、更新要求に従って、医療資源組合せ情報や稼働可否情報を更新、すなわち、医療資源ＤＢ１５を更新する。なお、医療資源ＤＢ１５が改竄されるなどの問題を防止するために、医療資源ＤＢ１５を更新可能なユーザー（端末）は、周知のセキュリティシステムなどにより予め制限されている。
【００４７】
図５に戻り、稼働不能医療資源検出部３４は、医療資源ＤＢ１５に格納された稼働可否情報を参照して稼働不能な医療資源を検出し、余剰資源判定部３５へ通知する。例えば、図３の例では、医療機器Ａ１が稼働不能な医療資源として検出され、余剰資源判定部３５へ通知される。なお、稼働不能な医療資源の検出は、常時行うものでもよいし、定期的に行うものでもよい。また、医療資源紹介サーバ１１やクライアント端末１２のユーザーからの要求に基づき、任意のタイミングで検出を行ってもよいし、稼働可否情報が更新されたか否かを監視し、稼働可否情報が更新された場合に検出を行ってもよい。さらに、余剰資源判定部３５への通知は、新たな稼働不能資源が検出された場合にのみ行うものでもよい。
【００４８】
図８に示すように、余剰資源判定部３５は、稼働不能医療資源検出部３４から稼働不能な医療資源が通知されると作動され、作動に伴って、医療資源組合せ情報を参照し、稼働不能な医療資源に対応付けされた相手方の医療資源を抽出する。稼働不能な医療資源に対応付けされた相手方の医療資源とは、第１実施形態では、稼働不能な医療資源が医療機器である場合は、この医療機器を使用する医療スタッフであり、稼働可能な医療資源が医療スタッフである場合は、この医療スタッフが使用する医療機器である。例えば、医療機器Ａ１が稼働不能な医療資源として検出された場合（図３参照）、この医療機器の相手方の医療資源として、医療スタッフＮＯ１が抽出される（図２参照）。
【００４９】
余剰検出判定部３５は、上述のように抽出した相手方の医療資源が、稼働不能な医療資源の発生により、稼働を待機する稼働待機状態となる医療資源、すなわち余剰資源であるか否かを判定する。なお、第１実施形態では、医療資源が２つ１組に組合せられており（図２参照）、一方が稼働不能となると、他方が稼働待機状態、すなわち、余剰資源となる。よって、第１実施形態では、余剰資源判定部３５は、上述のように抽出した相手方の医療資源を、そのまま余剰資源と判定する。
【００５０】
再び、図５に戻り、余剰資源判定部３５により余剰資源と判定された医療資源は紹介部３６へ通知される。紹介部３６は、余剰資源判定部３５から余剰資源と判定された医療資源が通知されると、通知された医療資源の種類や有効活用できる受け入れ先を募集中であるなどの旨を示す紹介通知を生成し、クライアント端末１２に配信する。紹介通知としては、例えば、図９に示す紹介画面３９をクライアント端末１２のディスプレイ２８に表示させるための表示データが配信される。なお、余剰資源の発生元の医療施設に設置されたクライアント端末１２については、前述した紹介通知の通知先からは除外される。
【００５１】
以下、第１実施形態による本発明の作用について説明を行う。医療資源紹介システム１０では、いずれかの医療施設において稼働不能な医療資源が検知されると、この稼働不能な医療資源に対応付けされた相手方の医療資源について、この医療資源が余剰資源か否かが判定され、余剰資源と判定されると別の医療施設に紹介される。具体的には、医療機器が稼働不能となると、この医療機器を使用する医療スタッフが余剰資源か否かが判定されて余剰資源と判定されると、この医療スタッフの紹介が行われる。また、医療スタッフが稼働不能となると、この医療スタッフにより使用されている医療機器が余剰資源か否かが判定されて余剰資源と判定されるとこの医療機器の紹介が行われる。
【００５２】
以上のように、本発明によれば、医療機器が稼働不能となると医療スタッフの紹介が行われ、医療スタッフが稼働不能となると医療機器の紹介が行われるようにした。このため、医療資源が稼働不能か否かが判明すれば、すなわち、稼働可否情報が得られれば、余剰資源を有効活用できる。さらに、稼働可否情報は、稼働不能となった医療施設（クライアント端末）において入力可能（医療資源ＤＢを更新可能）なだけでなく、クライアント端末以外の端末からも入力可能、すなわち、第三者が調査するなどして入力することも可能である。このため、医療資源の供給主体や需要主体となるユーザーからの要望が上がらない状況においても有効に機能して、潜在的な余剰資源となっている医療資源の活用が可能である。
【００５３】
［第２実施形態］
以下、本発明の第２実施形態について説明を行う。なお、以降の説明では、上述した第１実施形態と同様の構成については同様の符号を付して説明を省略している。
【００５４】
図１０に示すように、第２実施形態では、医療資源組合せ情報として登録された情報の内容が上述した第１実施形態とは異なっている。
【００５５】
具体的には、第２実施形態では、医療資源組合せ情報として、第４病院に１つの医療機器Ａ３が存在し、この医療機器Ａ３を、２人の医療スタッフＮＯ８、ＮＯ９が共用することを示す情報が登録されている。また、第２実施形態では、医療資源組合せ情報として、第５病院に医療機器Ａ４、Ｂ４の２つの医療機器が存在し、これらの医療機器Ａ４、Ｂ４を、１人の医療スタッフＮＯ１０が使用していることを示す情報が登録されている。なお、医療機器Ａ３、Ａ４は、前述した医療機器Ａ１、Ａ２と同種の医療機器Ａであり、医療機器Ｂ４は、前述した医療機器Ｂ１〜Ｂ３と同種の医療機器Ｂである。
【００５６】
このように、第２実施形態では、１つの医療資源（第１の医療資源であり、第４病院の場合は医療機器Ａ３、第５病院の場合は医療スタッフＮＯ１０）に対して、この医療資源と協働して稼働する複数の医療資源（第２の医療資源であり、第４病院の場合は医療スタッフＮＯ８、ＮＯ９であり、第５病院の場合は医療機器Ａ４、Ａ５）の組合せ（第２の組合せ）が医療資源組合せ情報として登録されている。
【００５７】
このため、第２実施形態では、前述した第１実施形態とは異なり、稼働不能な医療資源に対応付けされた（組合せられた）相手方の医療資源を単純に余剰資源とみなすことはできない。つまり、医療スタッフＮＯ８、ＮＯ９に対応付けされた相手方の医療資源は、医療機器Ａ３であるが、医療スタッフＮＯ８、ＮＯ９の片方が稼働不能となっても、医療機器Ａ３は、残りの医療スタッフにより使用されるため、稼働待機状態とはならない（余剰資源とはみなせない）。同様に、医療機器Ａ４、Ｂ４に対応付けされた相手方の医療資源は、医療スタッフＮＯ１０であるが、医療機器Ａ４、Ｂ４の片方が稼働不能となっても、医療スタッフＮＯ１０は、残りの医療機器を使用可能なため、余剰資源とはみなせない。
【００５８】
よって、第２実施形態のでは、図１１に示すように、余剰資源判定部３５が、第２の組合せにおいて、第２医療資源のいずれかが稼働不能な医療資源として検出された場合、稼働可能な第２医療資源が他に存在するか否かを調べ、存在しない場合に、第２医療資源に対応付けされた第１医療資源を余剰資源と判定する。
【００５９】
具体的には、医療スタッフＮＯ８、ＮＯ９（第２医療資源）の片方が稼働不能となっただけでは、医療機器Ａ３（第１医療資源）を余剰資源とは判定せず、医療スタッフＮＯ８、ＮＯ９の両方が稼働不能な場合に、医療機器Ａ３を余剰資源と判定する。なお、医療機器Ａ３が稼働不能な場合には、医療スタッフＮＯ８、ＮＯ９の両方を余剰資源と判定する。
【００６０】
同様に、医療機器Ａ４、Ｂ４（第２医療資源）の片方が稼働不能となっただけでは、医療スタッフＮＯ１０を余剰資源とは判定せず、医療機器Ａ４、Ｂ４の両方が稼働不能な場合に、医療スタッフＮＯ１０を余剰資源と判定する。なお、医療スタッフＮＯ１０が稼働不能な場合は、医療機器Ａ４、Ｂ４の両方を余剰資源と判定する。
【００６１】
このように、第２実施形態によれば、医療スタッフＮＯ８、ＮＯ９や、医療機器Ａ４、Ｂ４の片方が稼働不能となっただけでは、医療機器Ａ３や医療スタッフＮＯ１０を余剰資源と判定しない。このため、例えば、医療スタッフＮＯ８が稼働不能となったが、医療機器Ａ４は医療スタッフＮＯ９が使用しているといった状況であるにも関わらず、医療機器Ａ４が余剰資源判定されてしまうといった問題、すなわち、稼働待機状態ではない医療資源を余剰資源とみなしてしまうといった問題を防止できる。
【００６２】
なお、第２実施形態では、図１０の第４病院の例のように、医療スタッフＮＯ８、ＮＯ９のうち、片方が稼働不能となっても、残りの医療スタッフが医療機器Ａ３を使用（稼働）できるといった前提に基づいて余剰資源を判定している。しかし、例えば、医療機器Ａ３が、２名の医療スタッフが揃わないと稼働できないといった性質の医療機器である場合も考えられる。このような場合、医療スタッフＮＯ８、ＮＯ９の片方が稼働不能となると、医療機器Ａ３だけでなく、残りの医療スタッフも稼働待機状態となってしまう。このように、複数の医療スタッフからなる医療チームとして１つの医療機器を稼働させる状況においては、医療チームの一部が稼働不能となり、相手方の医療機器を稼働させることができない状態となった場合に、医療チームの残りのメンバー及び相手方の医療機器の両方を余剰資源と判定してもよい。
【００６３】
同様に、第２実施形態では、図１０の第５病院の例のように、医療機器Ａ４、Ｂ４のうち、片方が稼働不能となっても、医療スタッフＮＯ１０が残りの医療機器を用いて稼働できる（医療行為を行える）といった前提に基づいて余剰資源を判定している。しかし、例えば、医療機器Ａ４、Ｂ４が、セットでないと医療機器として稼働できないといった性質の医療機器である場合も考えられ、このような場合、医療機器Ａ４、Ｂ４の片方が稼働不能となると、医療スタッフＮＯ１０だけでなく、残りの医療機器についても稼働待機状態となってしまう。このように、複数の医療機器からなる医療機器セットとして稼働可能な医療機器の一部が稼働不能となった状況においては、残りの医療機器及び相手方の医療スタッフの両方を余剰資源と判定してもよい。
【００６４】
なお、第２実施形態では、例えば、図１２に示す第６病院のような場合、医療スタッフＮＯ１１、１２の片方が稼働不能となっても、残りの医療スタッフが医療機器Ａ５、Ａ６の両方を使用できるといった前提に基づいて、医療機器Ａ５、Ａ６を余剰資源とは判定しない。なお、医療機器Ａ５、Ａ６は、前述した医療機器Ａ１〜Ａ４と同種の医療機器Ａである。
【００６５】
ここで、医療機器の中には、１人の医療スタッフが２つを有効に稼働可能なもの（例えば、ＣＴ（Computed Tomography）やＭＲＩ（Magnetic Resonance Imaging）などの検査装置のように、検査時間が比較的長く、かつ、検査中は医療スタッフが待機しているだけとなるため、１つの検査装置で１人目の患者の検査中に２つ目の検査装置で２人目の患者の検査を行うことができるものや、内視鏡検査装置などのように、一回使用すると洗浄や消毒などのメンテナンスを行う必要があり、この間に２つ目の装置で２人目の患者の検査をおこなうことができるもの）もあり、このような医療機器については、１人の医療スタッフが使用する医療機器が複数存在する状態であっても、このような医療機器を余剰資源と判定しない、第２実施形態の手法が有効である。
【００６６】
一方で、医療機器の中には、１人の医療スタッフでは１つしか稼働させることができない、または、稼働させることはできるが非効率的なものもある。このような医療機器については、１人の医療スタッフについて複数の医療機器が対応付けされている状態であっても余剰資源と判定しない、第２実施形態の手法では、医療資源を有効活用できない恐れがある。このため、前述のような医療機器の特性を考慮し、１人の医療スタッフにつき１つしか稼働できない（または、稼働できるが非効率的な）医療機器については、１人の医療スタッフに複数の医療機器が対応付けされている状態となった場合に、２つ目以降の医療機器を余剰資源と判定してもよい。
【００６７】
同様に、第２実施形態では、例えば、図１２に示す第６病院のような場合、医療機器Ａ５、Ａ６の片方が稼働不能となっても、残りの医療機器を医療スタッフＮＯ１０、ＮＯ１１で共用できるといった前提に基づいて、医療スタッフＮＯ１０、ＮＯ１１を余剰資源とは判定しない。しかし、医療機器の中には、１つあれば複数の医療スタッフが稼働可能なもの（例えば、超音波検査装置のように、全ての患者に毎回使用されるわけではなく（使用頻度が低く）、複数の医師（医療スタッフ）で共用できるもの）があり、このような医療機器については、１つの医療機器を複数の医療スタッフが使用する状態であっても医療スタッフを余剰資源と判定しない、第２実施形態の手法が有効である。
【００６８】
一方、医療機器の中には、１つで１人の医療スタッフのみ稼働可能となるもの（例えば、電子カルテ入力端末のように、複数の医師で共用することが不可能（または非効率的）なもの）もある。このような医療機器については、１つの医療機器について複数人の医療スタッフが対応付けされている状態であっても余剰資源と判定しない、第２実施形態の手法では、医療資源を有効活用できない恐れがある。このため、前述のような医療機器の特性を考慮し、１つにつき１人の医療スタッフのみ稼働可能となる医療機器については、１つに複数人の医療スタッフが対応付けされている状態となった場合に、２人目以降の医療スタッフを余剰資源と判定してもよい。
【００６９】
なお、本発明は、上記実施形態に限定されるものではなく、細部の構成については適宜変更できる。例えば、上記実施形態で説明した医療資源組合せ情報は、医療資源の組合せの一例であり、医療資源の組合せはこれに限定されず、適宜変更できる。前述のように、複数の医療機器からなる医療機器セットを１人の医療スタッフと組合せたり、複数の医療スタッフからなる医療チームを１つの医療機器と組合せてもよいし、医療機器セットと医療チームとを組合せてもよい。
【００７０】
さらに、前述のように、医療機器セットの中には、医療機器セットを構成する医療機器の一部が稼働不能となってしまうと、医療機器セットとして機能しなくなってしまうものもある。このような医療機器セットでは、一部の医療機器が稼働不能となることで残りの医療機器が稼働待機状態、すなわち、余剰資源となる。このため、このような医療機器同士の組合せを記憶し、一部の医療機器が稼働不能となった場合に残りの医療機器を余剰資源と判定し、紹介する構成としてもよい。
【００７１】
同様に、医療チームの中には、医療チームのメンバーの一部が稼働不能となってしまうと、医療チームとして機能しなくなってしまうものもある。このため、このような医療スタッフ同士の組合せを記憶し、一部のメンバーが稼働不能となった場合に残りのメンバーを余剰資源と判定し、紹介する構成としてもよい。
【００７２】
また、上記実施形態では、余剰資源と判定された医療資源を、この医療資源を保有している保有元（紹介元）医療施設の意志に関わらず、他の医療施設へ紹介する例で説明をしたが、本発明はこれに限定されるものではない。紹介を行ってもよいかを、保有元の医療施設へ確認し、承諾を得てから紹介通知を送信するように構成してもよい。
【００７３】
この場合、図１３に示すように、上記実施形態で説明をした各部に加えて紹介承認部４０として医療資源紹介サーバ１１のＣＰＵ２１を機能させるサーバソフトウェアを、ＡＰ３０としてインストールする。紹介承認部４０は、余剰資源判定部３５により、医療資源のいずれかが余剰資源と判定されると、この医療資源を保有している保有元の医療施設に設置されたクライアント端末１２に対して、余剰資源と判定された医療資源を他の医療施設に対して紹介することへの承諾を求める承認要求を送信し、承認が得られた場合に、紹介指示を紹介部３６に入力する。そして、紹介部３６は、紹介指示を受けた場合に余剰資源の保有元の医療施設以外の医療施設に設置されたクライアント端末１２に対して、紹介通知を送信する。
【００７４】
また、上記実施形態では、紹介部３６が、余剰資源の保有元の医療施設以外の医療施設に設置されたクライアント端末１２に対して余剰資源を紹介する例で説明をしたが、本発明はこれに限定されるものではない。余剰資源を有効活用可能な紹介先を検索し、検索された紹介先に対して余剰資源を紹介するように構成してもよい。
【００７５】
この場合、図１４に示すように、上記実施形態で説明をした各部に加えて紹介先検索部５０として医療資源紹介サーバ１１のＣＰＵ２１を機能させるサーバソフトウェアを、ＡＰ３０としてインストールする。紹介先検索部５０は、余剰資源判定部３５により、医療資源のいずれかが余剰資源と判定されると、医療資源ＤＢ１５に格納された情報に基づいて、この医療資源が追加されても余剰資源とはならない医療施設、すなわち、余剰資源と協働して稼働可能な医療資源が存在する医療施設を検索する。
【００７６】
具体的には、図３に示すように医療機器Ａ１が稼働不能となり、図２に示すように第１病院において医療スタッフＮＯ１が余剰資源と判定された場合、医療スタッフＮＯ１と協働して稼働可能な医療機器Ａが存在する医療施設は、図２においては第２病院である。よって、この場合、医療スタッフＮＯ１の紹介先として第２病院が検索される。
【００７７】
紹介先検索部５０は、上述のように検索された紹介先の医療施設へ余剰資源を紹介する旨の紹介指示を紹介部３６に入力する。そして、紹介部３６は、紹介指示に従って、紹介先の医療施設に設置されたクライアント端末１２に対して、紹介通知を送信する。こうすることで、余剰資源をより確実に有効活用できる。
【００７８】
また、上記実施形態では、医療機器が稼働不能となった場合、ユーザーがクライアント端末などを操作することによって、稼働可否情報を更新する例で説明をしたが、本発明はこれに限定されるものではない。医療資源から定期的に送信される情報に基づいて、稼働可否情報が自動的に更新される構成としてもよい。
【００７９】
この場合、図１５に示すように、稼働状況収集部６０、稼働可否判定部７０として医療資源紹介サーバ１１のＣＰＵ２１を機能させるサーバソフトウェアを、ＡＰ３０としてインストールする。稼働状況収集部６０は、医療資源から定期的に送信される情報を受信するために設けられ、図１５の例では、医療スタッフ８０の出勤状況を示す出勤情報、及び、医療機器８１の電源が投入されたことを示す電源投入情報を受信する。
【００８０】
出勤情報は、医療スタッフ８０が医療施設へ出勤した際にタイムレコーダ８２にＩＣ（Integrated Circuit）カード８３を通すと、タイムレコーダ８２からアクセスポイント８４及びネットワーク１４を経由して稼働状況収集部６０へ送信される。また、電源投入情報は、医療機器８１の電源が投入された際に、医療機器８１からアクセスポイント８４及びネットワーク１４を経由して稼働状況収集部６０へ送信される。
【００８１】
稼働可否判定部７０は、前述のように稼働状況収集部６０により収集された情報に基づいて、稼働不能な医療資源を判定する。具体的には、出勤情報に基づいて、医療スタッフ８０が所定期間以上出勤していないことが検知された場合に、医療スタッフ８０を稼働不能と判定する。また、電源投入情報に基づき、医療機器８１の電源が所定期間以上投入されていないことが検知された場合に、医療機器８１を稼働不能と判定する。そして、稼働可否判定部７０は、稼働不能な医療資源が判定されると、データベース更新部３３に対してこの医療資源の稼働可否情報を変更する旨の更新要求を送信する。データベース更新部３３は、送信された更新要求に基づいて医療資源ＤＢ１５に格納された稼働可否情報を更新する。本例のように稼働可否情報が自動的に更新されるようにすれば、余剰資源が紹介されるまでの間にユーザーの操作が一切必要無くなる。このため、本例によれば、潜在的な余剰資源をより確実に有効活用できる。
【００８２】
なお、本発明は、上記実施形態や上述した変形例に限らず、本発明の要旨を逸脱しない限り種々の構成を採り得ることはもちろんである。例えば、上記実施形態や上述した変形例を適宜組合せることも可能である。また、本発明は、プログラムに加えて、プログラムを記憶する記憶媒体にも及ぶ。
【符号の説明】
【００８３】
１０  医療資源紹介システム
１１  医療資源紹介サーバ
１２  クライアント端末
１４  ネットワーク
１５  医療資源ＤＢ
３１  データベースアクセス部
３２  ＧＵＩ制御部
３３  データベース更新部
３４  稼働不能医療資源検出部
３５  余剰資源判定部
３６  紹介部
４０  紹介承認部
５０  紹介先検索部
６０  稼働状況収集部
７０  稼働可否判定部
【図１】
2016062478.tif 000003
【図２】
2016062478.tif 000004
【図３】
2016062478.tif 000005
【図４】
2016062478.tif 000006
【図５】
2016062478.tif 000007
【図６】
2016062478.tif 000008
【図７】
2016062478.tif 000009
【図８】
2016062478.tif 000010
【図９】
2016062478.tif 000011
【図１０】
2016062478.tif 000012
【図１１】
2016062478.tif 000013
【図１２】
2016062478.tif 000014
【図１３】
2016062478.tif 000015
【図１４】
2016062478.tif 000016
【図１５】
2016062478.tif 000017